(57)【特許請求の範囲】
【請求項１】
永久磁石を有していて略円柱状をしており略径方向へ張り出した一体の腕部に少なくとも一つの出力部を設けている回転子と、
前記回転子を収容するため前記回転子の円周面に対向した筒状部と前記回転子の回転軸の一方を軸受けする第１壁部とを有しており該第１壁部は外壁面に形成された直線状の第１段差面を境界として軸受け部を含む第１領域と該軸受け部を含まない第２領域とに分かれていて該第１領域が肉薄に形成されており該筒状部は該第１領域が該第１段差面に対して直交していて前記回転子を間にして引かれた二つの平行線の外側を切り落とした形状に形成されている第１固定子枠と、
前記回転子の回転軸の他方を軸受けする第２壁部と該第２壁部から前記回転子の径方向へ延伸して形成され装置への取付部を有する取付け板部とを有していて該第２壁部と前記第１固定子枠との間に前記回転子の収容室を構成しており該第２壁部は外壁面に前記第１段差面と平行になるようにして形成された直線状の第２段差面を境界として前記第１領域に対向する略同じ平面形状の第３領域と前記第２領域に対向する略同じ平面形状の第４領域に分かれていて該第３領域が肉薄に形成されている第２固定子枠と、
前記第１段差面と前記第２段差面に当接していて前記二つの軸受け部を囲むようにして前記二つの固定子枠の外側に嵌装されている少なくとも一つの空芯コイルと、
前記筒部の外側に前記空芯コイルを包むように嵌装されている筒状のヨークと、
を備えていることを特徴とする電磁アクチュエータ。
【請求項２】
前記取付け板部は、前記第３領域から形成されており、該取付け板部は、前記第３領域から前記第２段差面と直交する方向へ前記第３領域と略同じ幅で形成されていることを特徴とする請求項１に記載の電磁アクチュエータ。
【請求項３】
前記取付け板部は、前記第４領域から形成されていることを特徴とする請求項１に記載の電磁アクチュエータ。
【請求項４】
前記取付け板部は、前記第３領域からと前記第４領域からとの両方に形成されており、前記第３領域から形成されている取付け板部は、前記第３領域から前記第２段差面と直交する方向へ前記第３領域と略同じ幅で形成されていることを特徴とする請求項１に記載の電磁アクチュエータ。
【請求項５】
前記第１壁部は、前記第１領域と前記第２領域とが、同じ厚さに形成されていることを特徴とする請求項１乃至４のいずれかに記載の電磁アクチュエータ。
【請求項６】
前記第２壁部は、前記第３領域と前記第４領域とが、同じ厚さに形成されていることを特徴とする請求項１乃至４のいずれかに記載の電磁アクチュエータ。
【発明の詳細な説明】
【技術分野】
【０００１】
本発明は、永久磁石を有している回転子を、所定の角度範囲内でだけ往復回転させるようにし、該回転子と一体的に回転する出力部によって、被駆動部材を駆動するようにした電磁アクチュエータに関する。
【背景技術】
【０００２】
本発明で対象としている電磁アクチュエータは、下記の特許文献１の図６及び図７に記載されているタイプのものである。即ち、この種の電磁アクチュエータは、筒状部の一端を塞いでいるような形状をした固定子枠と、その筒状部の他端を塞ぐようにしたもう一つの固定子枠との間で収容室を構成し、その収容室内に、永久磁石を有する回転子を配置している。そして、その回転子には、略径方向へ張り出した腕部が一体的に形成されていて、その腕部に設けられた出力部が、収容室外で被駆動部材を駆動するようになっている。また、上記の二つの固定子枠の外側には、両者にわたって一連となるように環状凹溝が形成されており、そこにコイルを巻回したあと、上記の筒状部の外側に、そのコイルをも包むようにして略円筒形をしたヨークを嵌装させている。そして、回転子は、コイルに供給する電流の方向に対応した方向へ回転力を付与されるようになっている。このような電磁アクチュエータは、これまでは、主としてカメラに内蔵されるレンズシャッタ装置，フォーカルプレンシャッタ装置，絞り装置，フィルタ装置，バリア装置などの駆動源として用いられることが多かったが、施錠装置などカメラ関係以外の各種の小型装置の駆動源としても使用することが可能なものである。
【０００３】
【特許文献１】実用新案登録第２５９３９９１号公報
【発明の開示】
【発明が解決しようとする課題】
【０００４】
ところで、この種の電磁アクチュエータを組み立てるとき、従来は、収容室内で回転子を軸受け状態にした後、治具によって、二つの固定子枠がばらばらにならないように挟み付けておき、二つの固定子枠にわたって一連となるように形成された環状凹溝に、巻線機で、コイルを巻回するようにしていた。そのため、特殊な治具が必要になるほか、治具への着脱作業が面倒であるという問題点があった。また、組立後の検査で、回転子の軸受け状態が不適切であると判明して組み直すときは、分解するためにコイルを切断すると固定子枠を工具で傷付けてしまうため、巻き戻し作業を行なうようにしているが、その作業が非常に面倒であるほか、巻き戻したコイルを巻線機によって再利用することも不可能であるという問題点があった。
【０００５】
本発明は、このような問題点を解決するためになされたものであり、その目的とするところは、特許文献１に記載されている上記のタイプの電磁アクチュエータにおいて、二つの固定子枠に対するコイルの取付け作業が極めて簡単であると共に、組立後の分解や再組立が容易に行なえ、コイルの再利用をも可能にした電磁アクチュエータを提供することである。
【課題を解決するための手段】
【０００６】
上記の目的を達成するために、本発明の電磁アクチュエータは、永久磁石を有していて略円柱状をしており略径方向へ張り出した一体の腕部に少なくとも一つの出力部を設けている回転子と、前記回転子を収容するため前記回転子の円周面に対向した筒状部と前記回転子の回転軸の一方を軸受けする第１壁部とを有しており該第１壁部は外壁面に形成された直線状の第１段差面を境界として軸受け部を含む第１領域と該軸受け部を含まない第２領域とに分かれていて該第１領域が肉薄に形成されており該筒状部は該第１領域が該第１段差面に対して直交していて前記回転子を間にして引かれた二つの平行線の外側を切り落とした形状に形成されている第１固定子枠と、前記回転子の回転軸の他方を軸受けする第２壁部と該第２壁部から前記回転子の径方向へ延伸して形成され装置への取付部を有する取付け板部とを有していて該第２壁部と前記第１固定子枠との間に前記回転子の収容室を構成しており該第２壁部は外壁面に前記第１段差面と平行になるようにして形成された直線状の第２段差面を境界として前記第１領域に対向する略同じ平面形状の第３領域と前記第２領域に対向する略同じ平面形状の第４領域に分かれていて該第３領域が肉薄に形成されている第２固定子枠と、前記第１段差面と前記第２段差面に当接していて前記二つの軸受け部を囲むようにして前記二つの固定子枠の外側に嵌装されている少なくとも一つの空芯コイルと、前記筒部の外側に前記空芯コイルを包むように嵌装されている筒状のヨークと、を備えているようにする。
【０００７】
その場合、前記取付け板部は、前記第３領域から形成されており、該取付け板部は、前記第３領域から前記第２段差面と直交する方向へ前記第３領域と略同じ幅で形成されているようにしてもよい。また、前記取付け板部は、前記第４領域から形成されているようにしてもよい。更に、前記取付け板部は、前記第３領域からと前記第４領域からとの両方に形成されており、前記第３領域から形成されている取付け板部は、前記第３領域から前記第２段差面と直交する方向へ前記第３領域と略同じ幅で形成されているようにしてもよい。
【０００８】
また、前記第１壁部と前記第２壁部については、前記第１壁部の方だけを、前記第１領域と前記第２領域とが、同じ厚さに形成されているようにしてもよいし、前記第２壁部の方だけを、前記第３領域と前記第４領域とが、同じ厚さに形成されているようにしてもよい。
【発明の効果】
【０００９】
本発明は、特許文献１の図６及び図７に記載されているタイプの電磁アクチュエータにおいて、二つの固定子枠の外側に、空芯コイルを嵌装するように構成したため、従来のような特殊な治具を必要とせず且つコイルの取付け作業が極めて簡単であると共に、組立後の分解や再組立が容易に行なえ、コイルの再利用も可能になるという利点がある。
【発明を実施するための最良の形態】
【００１０】
本発明の実施の形態を、図示した実施例によって説明する。また、上記したように、本発明の電磁アクチュエータは、各種の小型製品の駆動源として採用することの可能なものであるが、そのような小型製品の代表的なものに、単独で製品化されるカメラや、携帯電話，パソコンなどの情報端末機器に内蔵されるカメラに組み込まれる各種のコンポーネントがある。そこで、実施例の電磁アクチュエータの説明をした後、それらのコンポーネントの一つであるレンズシャッタ装置（以下、単にシャッタ装置という）に採用されたときの態様も、図面を用いて簡単に説明する。尚、図１は、実施例の電磁アクチュエータを示す平面図であり、図２は、実施例の分解斜視図である。また、図３は、実施例の電磁アクチュエータをカメラ用のシャッタ装置に採用した状態を示す平面図であって、シャッタ羽根の全開状態を示したものであり、図４は、図３の要部断面図であり、図５は、シャッタ羽根の閉鎖状態を示した平面図である。
【実施例】
【００１１】
先ず、図１，図２，図４を用いて本実施例の構成を説明する。第１固定子枠１は、合成樹脂製であって、後述する回転子４を収容するために、筒状部１ａと、その軸方向の一端を塞ぐようにして形成された壁部１ｂとによって、全体としてコップ状（図４参照）に形成されており、壁部１ｂの略中心に軸受け孔１ｃを有している。そして、壁部１ｂは、外壁面に形成された直線状の段差面１ｂ−１を境界として、軸受け孔１ｃを含む部位と軸受け孔１ｃを含まない部位とに分かれており、軸受け孔１ｃを含む部位が肉薄部１ｂ−２として形成され、軸受け孔１ｃを含まない部位が肉厚部１ｂ−３として形成されている。
【００１２】
筒状部１ａは、壁部１ｂの段差面１ｂ−１よりも肉薄部１ｂ−２側になる部位が、段差面１ｂ−１に対して直交していて後述の回転子４を間にして引かれた二つの平行線の外側を切り落とした形状に形成されている。そして、この筒状部１ａの下方部には、図２に分かりやすく示されているように、後述のヨーク６を嵌装する際にストッパの役目をする複数の円弧状をした段差面１ａ−１が形成されており、下端部には、図４に断面形状が明示されているフック部１ａ−２を形成している。また、図２において、筒状部１ａの左側には切欠き部１ａ−３も形成されている。そして、この第１固定子枠１には、四つの溝孔１ｄが形成されており、それらに４本の磁性体棒２が圧入されている。
【００１３】
第２固定子枠３は、合成樹脂製であって全体として平板状をしており、上記の壁部１ｂに対向している壁部３ａと、その両側に延伸して形成された二つの取付け板部３ｂ，３ｃとを有しており、壁部３ａと第１固定子枠１との間に後述する回転子の収容室を構成している。そして、壁部３ａは、略中心に軸受け孔３ｄを有している。また、図１及び図２からは分からないが図４から形状が推察できるように、壁部３ａの外壁面（図２，図４における下方の面）には、第１固定子枠１の段差面１ｂ−１と平行になるようにして段差面３ａ−１が形成されており、その直線状の段差面３ａ−１を境界にして、第１固定子枠１の肉薄部１ｂ−２と対向する部位が、収容室側を残した肉薄部３ａ−２として形成され、第１固定子枠１の肉薄部１ｂ−３と対向する部位が、肉厚部３ａ−３として形成されている。
【００１４】
また、二つの取付け板部３ｂ，３ｃのうち、取付け板部３ｂは、第１固定子１とは反対側の面が、肉薄部３ａ−２の収容室外側の面と略同じ平面であって、肉薄部１ｂ−２，３ａ−２と略同じ幅に形成されており、逃げ孔３ｂ−１，位置決め孔３ｂ−２，取付孔３ｂ−３を有している。また、取付け板部３ｃは、取付け板部３ｂよりも厚く形成されていて、位置決め孔３ｃ−１，取付孔３ｃ−２，大きな逃げ孔３ｃ−３を有している。
【００１５】
尚、本実施例では、取付け板部３ｂの、第１固定子１とは反対側の面が、肉薄部３ａ−２の収容室外側の面と略同じになっているが、本発明は、このような形状に限定されず、もっと第１固定子１側となるように形成しても構わない。また、取付け板部３ｂの幅は、本実施例の幅より狭くしても構わない。更に、本実施例の取付け板部３ｂ，３ｃには、いずれも取付孔３ｂ−３，３ｃ−２が形成されているが、この種の電磁アクチュエータの場合には、取付孔を形成せず、装置のフック部に掛け止めするだけのものや、一方だけは装置にビス止めするが、他方は装置のフック部で掛け止めしたり、他の部材によって装置に押し付けているだけにしたものも知られている。従って、本発明の第２固定子枠３は、それらのように構成されたものも含まれる。
【００１６】
第１固定子枠１と第２固定子枠３によって構成されている収容室には、回転子４が収容されている。この回転子４は、回転軸となる回転軸部４ａと、図４に示すようにその回転軸部４ａから略径方向下側に延伸するように形成された腕部４ｂと、収容室外において腕部４ｂの先端に形成された出力ピン４ｃとが合成樹脂で一体成形されており、回転軸部４ａの周囲には、円筒形をしていて径方向に２極に着磁された永久磁石４ｄが固定されている。そして、この回転子４は、回転軸部４ａの一端を第１固定子枠１の軸受け孔１ｃに回転可能に嵌合させ、他端を第２固定子枠３の軸受け孔３ｄに回転可能に嵌合させている。
【００１７】
尚、本実施例の回転子４は、回転軸部４ａと、腕部４ｂと、出力ピン４ｃとを合成樹脂製にしているが、それらを永久磁石製にしても構わない。また、本実施例においては、軸受け孔１ｃ，３ｄを貫通孔として形成しているが、本発明の軸受け部の構成は、このような構成に限定されない。即ち、それらの軸受け孔１ｃ，３ｄを有底孔（盲孔）としても構わない。また、軸受け孔１ｃ，３ｄの形成部位に軸を形成し、回転軸部４ａの両端部位に、それらの軸を回転可能に嵌合させるための孔を形成するようにしても構わない。更に、本実施例においては、腕部４ｂが、径方向に延伸して形成されているとはいえ、図４から分かるように、斜め下方に向かって形成されているが、もっと水平に近くなるように形成したり、水平に形成したりしても構わない。
【００１８】
このようにして、回転子４を軸受けしている二つの固定子枠１，３の外側には、周知のように予め熱処理加工などによって四角い環状に成形された空芯コイル５が嵌装されている。そして、この空芯コイル５の嵌装は、次のようにして行なわれている。先ず、回転子４を二つの軸受け孔１ｃ，３ｄに軸受けさせつつ、第１固定子枠１のフック部１ａ−２を第２固定子枠３の逃げ孔３ｂ−１に挿入し、そのフック部１ａ−２を逃げ孔３ｂ−１の縁に引っ掛けた状態にしておく。次に、空芯コイル５を図１及び図２の右側から左方向へ移動させてゆき、最初は取付け板部３ｂだけをくぐらせ、その後、固定子枠１，３の肉薄部１ｂ−２，３ａ−２を、空芯コイル５が段差面１ｂ−１，３ａ−１に当接するまでくぐらせるようにしている。
【００１９】
空芯コイル５を嵌装した外側には、第１固定子枠１の筒状部１ａと空芯コイル５を包むようにして、円筒形をしたヨーク６が、図２の上方から、筒状部１ａの下方部に形成された複数の段差面１ａ−１に当接するまで嵌め込まれている。そして、本実施例の場合には、このヨーク６の嵌装によって、空芯コイル５が、がたつかないようになっている。
【００２０】
このように、本実施例の電磁アクチュエータは、従来のように、二つの固定子枠１，３に、巻線機でコイルを巻回するのではなく、空芯コイル５を嵌装できるように構成しているので、組立作業が極めて容易になっている。また、組立後の検査で不具合が発見された場合や修理をする場合には、従来のようにコイルを最後まで巻き戻す必要がなく、空芯コイル５をそのまま移動させて外すだけであるから非常に簡単であり、外した空芯コイル５は、再組立に際して利用することも可能になっている。
【００２１】
尚、本実施例の場合には、二つの固定子枠１，３に、いずれも肉薄部１ｂ−２，３ａ−２を形成しているが、いずれか一方に肉薄部を形成するだけであっても、本発明の目的を達成することができる。また、本実施例の第１固定子１に形成されている筒状部１ａは、回転子４の円周面を３６０度にわたって囲むように形成されているが、従来のこの種の電磁アクチュエータの構成においては、巻回されているコイルと回転子の円周面を接近させるために、図２において二点鎖線で示したような欠落部を、回転子を挟んで２箇所に形成し、そこから回転子が見えるようにしたものが知られている。そのため、本実施例の筒状部１ａに、そのような欠落部を形成したものも、本発明の第１固定子枠である。
【００２２】
本実施例の電磁アクチュエータの作動は、この種の周知の電磁アクチュエータの場合と同じであって、回転子４は、空芯コイル５に対して一方方向へ電流を供給すると、所定の角度範囲内で、第１位置から第２位置まで回転し、その後、電流の供給方向を逆にすると、回転子４は、第２位置から第１位置まで逆回転するようになっている。ところで、この種の電磁アクチュエータは、回転子４が途中位置まで回転したときに、空芯コイル５に対する通電を断つと、回転子４は、その途中位置で安定した停止状態を維持することができなくなってしまう。そのため、このままの構成では、被駆動部材を途中位置で停止させたい場合に、採用することができない。
【００２３】
そこで、回転子４を途中位置で確実に停止させられるようにするために、二つの方法が知られている。その一つは、第１固定子枠１の筒状部１ａの外面に凹部を形成して、ヨーク６との間にホール素子などの磁気感応素子を取り付けておくようにし、回転子４が所定の回転位置に達したことを検出すると、空芯コイル５に対する電流値や電流の供給方向を適宜制御して、見かけ上は停止しているようにすることである。そのため、本発明の電磁アクチュエータは、そのように磁気感応素子を取り付けたものであっても構わない。
【００２４】
もう一つの方法は、空芯コイル５のほかに、もう一つの空芯コイルを一緒に嵌装しておき、空芯コイル５には回転子４に第２位置に向けて回転する力を与えるように電流を供給し、他方の空芯コイルには回転子４に第１位置へ向けて回転する力を与えるように電流を供給するようにすることである。それによって、両者の回転力に差を生じさせれば、回転子４をいずれか一方へ回転させることができるし、両者の回転力をバランスさせれば、所定の途中位置で停止させることが可能になる。そのため、本発明の電磁アクチュエータにおいては、そのように二つの空芯コイルを嵌装するようにしても構わない。
【００２５】
更に、本実施例の場合には、回転子４の腕部４ｂの先端に、回転子４の回転軸と平行になるようにして出力ピン４ｃを設けているが、本発明は、出力ピンを回転子の回転軸と直交するようにして設けてもよい。また、この種の電磁アクチュエータには、特開２００７−２５６７２１号公報に記載されているように、一つの腕部に出力ピンを二つ設けているものも知られているが、本発明には、そのように構成したものも含まれる。また、本実施例の場合は、出力部として出力ピン４ｃを設けているが、本発明の出力部は、そのような出力ピンに限定されず、腕部４ｂを回転子４の回転軸と直交するように形成していて、出力部は、その先端に設けられた部分歯車であるようにしてもよい。
【００２６】
次に、図３〜図５を用いて、本実施例の電磁アクチュエータが、カメラ用のシャッタ装置に採用されたときの一例を説明するが、電磁アクチュエータの構成については既に詳しく説明してあるため、図３及び図５においては、必要最小限の部材部位にだけ符号を付けてある。図３に示されているカメラ用のシャッタ装置は、一般にレンズシャッタと言われているタイプのシャッタ装置である。地板１１は、略中央部に、被写体光路となる円形の開口部１１ａを有している。また、地板１１の背面側には、所定の間隔を空けて、地板１１と略同じ形状をしているカバー板１２が、三つのビス１３によって取り付けられていて、両者の間に羽根室を構成している。そして、そのカバー板１２にも、上記の開口部１１ａと重なるところに、開口部１１ａよりも直径の大きな開口部１２ａが形成されている。
【００２７】
地板１１の羽根室側の面には、二つの羽根取付軸１１ｂ，１１ｃが立設されていて、それらの先端は、カバー板１２に形成された孔から羽根室外へ突き出ている。また、地板１１の羽根室側の面には、断面が半月状をした四つのストッパ軸１１ｄ，１１ｅ，１１ｆ，１１ｇが立設されていて、それらの先端は、カバー板１２に形成された孔から羽根室外へ突き出ている。そして、羽根室内には２枚のシャッタ羽根１４，１５が配置されている。地板１１側に配置されているシャッタ羽根１４は、上記の羽根取付軸１１ｂに回転可能に取り付けられており、符号を省略してある周知の長孔と、上記のストッパ軸１１ｆに当接する張出部１４ａを有している。また、カバー板１２側に配置されているシャッタ羽根１５は、上記の羽根取付軸１１ｃに回転可能に取り付けられており、符号を省略してある周知の長孔と、上記のストッパ軸１１ｇに当接する張出部１５ａを有している。
【００２８】
本実施例の電磁アクチュエータは、羽根室外において、地板１１に立設された位置決めピン１１ｈ，１１ｉに、上記の第２固定子枠３の位置決め孔３ｂ−２，３ｃ−１を嵌合させ、第２固定子枠３の取付孔３ｂ−３，３ｃ−２からビス１６，１７をねじ込んで、地板１１に取り付けられている。そして、このとき、上記の出力ピン４ｃは、第２固定子枠３の逃げ孔３ｃ−３と同じ形状に形成された地板１１の逃げ孔１１ｊを貫通し、羽根室内で、２枚のシャッタ羽根１４，１５に形成された符号を付けていない周知の長孔に嵌合しており、その先端を、逃げ孔３ｃ−３，１１ｊと同じ形状に形成されたカバー板１２の逃げ孔１２ｂから羽根室外へ突き出している。
【００２９】
このように構成されたシャッタ装置は、周知のように、フィルムを使用するカメラにもデジタルカメラにも採用することが可能であるが、それらのうち、デジタルカメラに採用された場合の作動を簡単に説明しておく。図３に示されている状態は、シャッタ羽根１４，１５が開口部１１ａを全開にしている撮影待機状態である。そのため、被写体光が開口部１１ａを通過して固体撮像素子に当たっており、撮影者は、モニターによって、被写体像を観察することが可能になっている。また、このとき、電磁アクチュエータの空芯コイル５には電流が供給されていないが、周知のように、回転子４の永久磁石４ｄと４本の磁性体棒２との間に作用する永久磁石４ｄの磁力によって、回転子４には反時計方向へ回転する力が付与されている。そのため、出力ピン４ｃによって、シャッタ羽根１４には反時計方向へ回転する力が与えられ、シャッタ羽根１５には時計方向へ回転する力が与えられているが、それらの回転は、ストッパ軸１１ｄ，１１ｅによって阻止され、この状態が維持されている。
【００３０】
この状態でカメラのレリーズボタンを押すと、露光制御回路からの信号によって固体撮像素子に蓄積されていた電荷が放出され、その後、あらたに撮影のための電荷の蓄積が開始（撮影のための露光開始）される。そして、被写体の輝度に対応した所定の時間が経過すると、露光制御回路からの信号によって、空芯コイル５に対して順方向の通電が行われ、回転子４は時計方向へ回転させられる。そのため、出力ピン４ｃは、シャッタ羽根１４を時計方向へ回転させ、シャッタ羽根１５を反時計方向へ回転させて、開口部１１ａを閉じさせる。そして、シャッタ羽根１４，１５は、開口部１１ａを完全に閉鎖した直後に、それらの張出部１４ａ，１５ａがストッパ軸１１ｆ，１１ｇに当接することによって、閉じ作動を終了する。図５は、そのときの状態を示したものである。
【００３１】
このようにして、シャッタ羽根１４，１５の閉じ作動が終了すると、固体撮像素子で光電変換された撮像情報が記憶装置に転送される。そして、その転送が終了すると、空芯コイル５対して、先ほどとは逆方向の通電が行われる。そのため、回転子４は図５において反時計方向へ回転させられ、出力ピン４ｃによって、シャッタ羽根１４を反時計方向へ回転させ、シャッタ羽根１５を時計方向へ回転させて、開口部１１ａの開き作動を行わせる。その後、シャッタ羽根１４，１５は、開口部１１ａを全開にすると、その直後に、ストッパ軸１１ｄ，１１ｅに当接して開き作動を停止させられる。そして、空芯コイル５に対する通電が断たれると、図３に示された撮影待機状態に復帰したことになる。
【００３２】
尚、この構成例は、本実施例の電磁アクチュエータを、２枚のシャッタ羽根を備えたシャッタ装置の駆動源として採用したものであるが、この基本構成は、撮影レンズを保護するためのレンズバリア装置として使用することも可能である。また、本実施例の２枚のシャッタ羽根１４，１５のうち、一方を大きくして他方を省けば、１枚のシャッタ羽根を備えたシャッタ装置になるし、その１枚のシャッタ羽根に開口部１１ａよりも小さい開口部を形成することによって絞り羽根にすれば、絞り装置にもなる。更に、その開口部１１ａよりも小さい開口部をフィルタシートで覆うことによってフィルタ羽根にすれば、フィルタ装置にもなる。本実施例の電磁アクチュエータは、このように、種々のカメラ用装置の駆動源として採用できるほか、施錠装置などのカメラ関連以外の各種の小型装置用の駆動源としても採用することが可能なものである。
【図面の簡単な説明】
【００３３】
【図１】実施例の電磁アクチュエータを示す平面図である。
【図２】実施例の分解斜視図である。
【図３】実施例の電磁アクチュエータをカメラ用のシャッタ装置に採用した状態を示す平面図であって、シャッタ羽根の全開状態を示したものである。
【図４】図３の要部断面図である。
【図５】実施例の電磁アクチュエータをカメラ用のシャッタ装置に採用した状態を示した平面図であって、シャッタ羽根の閉鎖状態を示したものである。
【符号の説明】
【００３４】
１                                  第１固定子枠
１ａ                                筒状部
１ａ−１，１ｂ−１，３ａ−１        段差面
１ａ−２                            フック部
１ａ−３                            切欠き部
１ｂ，３ａ                          壁部
１ｂ−２，３ａ−２                  肉薄部
１ｂ−３，３ａ−３                  肉厚部
１ｃ，３ｄ                          軸受け孔
１ｄ                                溝孔
２                                  磁性体棒
３                                  第２固定子枠
３ｂ，３ｃ                          取付け板部
３ｂ−１，３ｃ−３，１１ｊ，１２ｂ  逃げ孔
３ｂ−２，３ｃ−１                  位置決め孔
３ｂ−３，３ｃ−２                  取付孔
４                                  回転子
４ａ                                回転軸部
４ｂ                                腕部
４ｃ                                出力ピン
４ｄ                                永久磁石
５                                  空芯コイル
６                                  ヨーク
１１                                地板
１１ａ，１２ａ                      開口部
１１ｂ，１１ｃ                      羽根取付軸
１１ｄ，１１ｅ，１１ｆ，１１ｇ      ストッパ軸
１１ｈ，１１ｉ                      位置決めピン
１２                                カバー板
１３，１６，１７                    ビス
１４，１５                          シャッタ羽根
１４ａ，１５ａ                      張出部
【図１】
0005207798.tif 000002
【図２】
0005207798.tif 000003
【図３】
0005207798.tif 000004
【図４】
0005207798.tif 000005
【図５】
0005207798.tif 000006